(57)【要約】  脊椎画像のコブ角の計測における操作性を向上させるとともに、誤診を防止する。  複数の湾曲部が存在する脊椎画像を表示部のモニタ画面に表示させ、操作部からの操作に基づいて、複数の湾曲部のそれぞれの上位終椎の軸方向上端及び下位終椎の軸方向下端に沿って補助線を描画する。その際、モニタ画面に表示された脊椎画像の頭尾方向に沿う順序でのみ各補助線の描画を許可する。そして、描画された各補助線の描画順（頭尾方向順）において相隣る二つの補助線同士が互いになす角度をコブ角として計測する。各補助線のうちいずれか一の補助線が移動された場合に、移動後の各補助線の位置情報に基づいて、画像の頭側端部に相当する１辺からの距離が小さい順に各補助線の順序付けを行う。そして、順序付けられた順序において相隣る二つの補助線同士が互いになす角度をコブ角として再計測する。
2009116340.tif 000002
【特許請求の範囲】
【請求項１】
複数の湾曲部が存在する脊椎を示す脊椎画像を表示手段のモニタ画面に表示させ、当該表示された脊椎画像から各湾曲部のコブ角を計測する画像計測装置であって、
前記モニタ画面に表示された脊椎画像において前記脊椎の延在方向に交差する方向のコブ角計測用の補助線を描画する位置を指定するための操作手段と、
前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する際に、前記モニタ画面に表示された脊椎画像の前記脊椎の延在方向のうちいずれか一方向に沿う順序でのみ前記各補助線の描画を許可する描画制御手段と、
前記描画された各補助線の描画順において相隣る二つの補助線同士が互いになす角度をコブ角として計測する計測手段と、
前記描画された各補助線のうちいずれか一の補助線が移動された場合に、当該移動後の各補助線の位置情報に基づいて前記一方向に沿う順序で前記各補助線の順序付けを行い、当該順序付けられた順序において相隣る二つの補助線同士が互いになす角度をコブ角として再計測する再計測手段と、
を備える画像計測装置。
【請求項２】
前記描画制御手段は、更に、前記モニタ画面の前記各補助線の描画を禁止する領域では、前記操作手段による描画位置を示す図形を前記各補助線の描画を許可する領域における表示とは変更する、
請求項１に記載の画像計測装置。
【請求項３】
前記描画制御手段は、更に、前記モニタ画面の前記各補助線の描画を禁止する領域を、前記各補助線の描画を許可する領域とは異なる色で表示させる、
請求項１又は２に記載の画像計測装置。
【請求項４】
複数の湾曲部が存在する脊椎を示す脊椎画像を保存する画像サーバ装置と、当該画像サーバ装置から取得した脊椎画像を表示手段のモニタ画面に表示させ、当該表示された脊椎画像から各湾曲部のコブ角を計測する画像計測装置とが通信ネットワークを介してデータ通信可能に接続された医用画像システムであって、
前記画像計測装置は、
前記モニタ画面に表示された脊椎画像において前記脊椎の延在方向に交差する方向のコブ角計測用の補助線を描画する位置を指定するための操作手段と、
前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する際に、前記モニタ画面に表示された脊椎画像の前記脊椎の延在方向のうちいずれか一方向に沿う順序でのみ前記各補助線の描画を許可する描画制御手段と、
前記描画された各補助線の描画順において相隣る二つの補助線同士が互いになす角度をコブ角として計測する計測手段と、
前記描画された各補助線のうちいずれか一の補助線が移動された場合に、当該移動後の各補助線の位置情報に基づいて前記一方向に沿う順序で前記各補助線の順序付けを行い、当該順序付けられた順序において相隣る二つの補助線同士が互いになす角度をコブ角として再計測する再計測手段と、
を備える医用画像システム。
【請求項５】
複数の湾曲部が存在する脊椎を示す脊椎画像を表示手段のモニタ画面に表示させ、当該表示された脊椎画像から各湾曲部のコブ角を計測するコンピュータを、
前記モニタ画面に表示された脊椎画像において前記脊椎の延在方向に交差する方向のコブ角計測用の補助線を描画する位置を指定するための操作手段、
前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する際に、前記モニタ画面に表示された脊椎画像の前記脊椎の延在方向のうちいずれか一方向に沿う順序でのみ前記各補助線の描画を許可する描画制御手段、
前記描画された各補助線の描画順において相隣る二つの補助線同士が互いになす角度をコブ角として計測する計測手段、
前記描画された各補助線のうちいずれか一の補助線が移動された場合に、当該移動後の各補助線の位置情報に基づいて前記一方向に沿う順序で前記各補助線の順序付けを行い、当該順序付けられた順序において相隣る二つの補助線同士が互いになす角度をコブ角として再計測する再計測手段、
として機能させるためのプログラム。
【発明の詳細な説明】
【技術分野】
【０００１】
本発明は、画像計測装置、医用画像システム及びプログラムに関する。
【背景技術】
【０００２】
従来、整形外科等の医療分野の診断において、Ｘ線等の放射線により患者を撮影した画像が用いられている。医師は、フィルムに出力した放射線画像を観察読影するとともに、診断に用いる数値や角度を得るために放射線画像上に計測すべき位置を赤鉛筆等でマーキングし、定規や分度器等の計測器具を用いてマーキングされた位置の距離や角度等を計測する。【０００３】
近年、医療分野においてもデジタル化が進み、病院内で生成される放射線画像は、ほとんどがデジタル画像としてワークステーション又はＰＡＣＳ（Picture Archiving and Communication System）で保存されている。デジタル画像の場合、画像をモニタ画面上に表示させ、この画面上で計測に用いる線（以下、補助線という。）を手動又は自動で指定することによって、距離や角度等の計測を自動化したり、一度引いた補助線を移動したりすることができるため、医師や放射線技師等の計測に要する負担を大幅に軽減させることが可能となった。【０００４】
例えば、側弯症の診断には、コブ角が用いられる。側弯症とは、脊柱が側方へ曲がる病気である。高度の側弯では、胸郭が著しく変形し、そのため肺の機能が低下する。コブ角が２５度未満の場合は３か月毎の経過観察、２５〜４０度の場合は装具療法が必要で季節休暇毎の観察、５０〜６０度以上の場合は手術療法等、コブ角が治療の目安となる。【０００５】
コブ角とは、脊椎において側弯を示している部分（湾曲部）の上下端にある終椎（傾斜角の最も大きな椎体）の上位終椎の上面と下位終椎の下面のなす角をいう。具体的には、脊椎を撮影した画像をモニタ画面に表示させ、モニタ画面上で湾曲部の上位終椎の軸方向上端及び下位終椎の軸方向下端に沿って補助線を引き、二つの補助線のなす角度を計測する。【０００６】
図１５に示すように、脊椎において湾曲部が二つある場合には、各湾曲部を人体の頭から足に向かう方向（以下、頭尾方向という。）に順に第一カーブ、第二カーブという。第一カーブのコブ角ａは、第一カーブの上位終椎の軸方向上端に沿って引かれた補助線Ｌ１と第一カーブの下位終椎の軸方向下端に沿って引かれた補助線Ｌ２とのなす角度である。第二カーブのコブ角ｂは、第二カーブの上位終椎の軸方向上端に沿って引かれた補助線Ｌ２（第一カーブの下位終椎の軸方向下端に沿って引かれた線と一致）と第二カーブの下位終椎の軸方向下端に沿って引かれた補助線Ｌ３とのなす角度である。【０００７】
図１６に示すように、脊椎において湾曲部が三つある場合には、各湾曲部を頭尾方向に順に第一カーブ、第二カーブ、第三カーブという。第一カーブのコブ角ｃは、第一カーブの上位終椎の軸方向上端に沿って引かれた補助線Ｌ４と第一カーブの下位終椎の軸方向下端に沿って引かれた補助線Ｌ５とのなす角度である。第二カーブのコブ角ｄは、第二カーブの上位終椎の軸方向上端に沿って引かれた補助線Ｌ５（第一カーブの下位終椎の軸方向下端に沿って引かれた線と一致）と第二カーブの下位終椎の軸方向下端に沿って引かれた補助線Ｌ６とのなす角度である。第三カーブのコブ角ｅは、第三カーブの上位終椎の軸方向上端に沿って引かれた補助線Ｌ６（第二カーブの下位終椎の軸方向下端に沿って引かれた線と一致）と第三カーブの下位終椎の軸方向下端に沿って引かれた補助線Ｌ７とのなす角度である。【０００８】
コブ角等の角度を計測する場合には、角度を形成する２直線の位置を指定する必要がある。描画した２直線の位置を後から調整する際に、一対（ペア）でのみ調整を許可することとすると、一方の直線だけを引き直したり、移動させたりすることができない。そこで、表示部に表示された医用画像上に複数の直線を描画し、描画した２本の直線間の角度を計測する画像計測装置において、描画された各直線を独立して変更・編集・削除することができる技術が提案されている（特許文献１参照）。
【特許文献１】特開２００６−１９２１０４号公報
【発明の開示】
【発明が解決しようとする課題】
【０００９】
しかし、上述したように、モニタ画面上では、描画した補助線を容易に移動させることができるため、一度引いた補助線を他の補助線との位置関係が変わるように移動させた場合に、補助線と計測対象との対応関係、すなわち、計測されたコブ角がどの２線のなす角度なのかを認識することが困難となる場合があった。【００１０】
現在使用されている計測機能のほとんどは、補助線を描画する順序によって角度の計測に用いるべき二つの補助線を決定しているため、図１７Ａに示すように、補助線Ｌ８，Ｌ９，Ｌ１０の順に描画を行った場合、補助線Ｌ８と補助線Ｌ９とのなす角度が第一カーブのコブ角として計測され、補助線Ｌ９と補助線Ｌ１０とのなす角度が第二カーブのコブ角として計測される。【００１１】
その後、図１７Ｂに示すように、最も下にあった補助線Ｌ１０を補助線Ｌ８，Ｌ９よりも上の位置へ移動した場合、補助線と計測対象との対応関係は変わらないため、第一カーブのコブ角として計測されるのは補助線Ｌ８と補助線Ｌ９とのなす角度であり、第二カーブのコブ角として計測されるのは補助線Ｌ９と補助線Ｌ１０とのなす角度である。つまり、図１７Ｂでは、画像上に描画された三つの補助線のうち、上から２番目の補助線と上から３番目の補助線とのなす角度が第一カーブのコブ角として計測され、上から３番目の補助線と上から１番目の補助線とのなす角度が第二カーブのコブ角として計測されることになる。ところが、ユーザは、見た目上の並び順で判断するため、第一カーブのコブ角として計測された値が補助線Ｌ１０と補助線Ｌ８とのなす角度を示し、第二カーブのコブ角として計測された値が補助線Ｌ８と補助線Ｌ９とのなす角度を示していると誤認し、診断を誤るおそれがあった。【００１２】
本発明は、上記の従来技術における問題に鑑みてなされたものであって、脊椎画像のコブ角の計測における操作性を向上させるとともに、誤診を防止することを課題とする。
【課題を解決するための手段】
【００１３】
上記課題を解決するために、請求項１に記載の発明は、複数の湾曲部が存在する脊椎を示す脊椎画像を表示手段のモニタ画面に表示させ、当該表示された脊椎画像から各湾曲部のコブ角を計測する画像計測装置であって、前記モニタ画面に表示された脊椎画像において前記脊椎の延在方向に交差する方向のコブ角計測用の補助線を描画する位置を指定するための操作手段と、前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する際に、前記モニタ画面に表示された脊椎画像の前記脊椎の延在方向のうちいずれか一方向に沿う順序でのみ前記各補助線の描画を許可する描画制御手段と、前記描画された各補助線の描画順において相隣る二つの補助線同士が互いになす角度をコブ角として計測する計測手段と、前記描画された各補助線のうちいずれか一の補助線が移動された場合に、当該移動後の各補助線の位置情報に基づいて前記一方向に沿う順序で前記各補助線の順序付けを行い、当該順序付けられた順序において相隣る二つの補助線同士が互いになす角度をコブ角として再計測する再計測手段と、を備える。【００１４】
請求項２に記載の発明は、請求項１に記載の画像計測装置において、前記描画制御手段は、更に、前記モニタ画面の前記各補助線の描画を禁止する領域では、前記操作手段による描画位置を示す図形を前記各補助線の描画を許可する領域における表示とは変更する。【００１５】
請求項３に記載の発明は、請求項１又は２に記載の画像計測装置において、前記描画制御手段は、更に、前記モニタ画面の前記各補助線の描画を禁止する領域を、前記各補助線の描画を許可する領域とは異なる色で表示させる。【００１６】
請求項４に記載の発明は、複数の湾曲部が存在する脊椎を示す脊椎画像を保存する画像サーバ装置と、当該画像サーバ装置から取得した脊椎画像を表示手段のモニタ画面に表示させ、当該表示された脊椎画像から各湾曲部のコブ角を計測する画像計測装置とが通信ネットワークを介してデータ通信可能に接続された医用画像システムであって、前記画像計測装置は、前記モニタ画面に表示された脊椎画像において前記脊椎の延在方向に交差する方向のコブ角計測用の補助線を描画する位置を指定するための操作手段と、前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する際に、前記モニタ画面に表示された脊椎画像の前記脊椎の延在方向のうちいずれか一方向に沿う順序でのみ前記各補助線の描画を許可する描画制御手段と、前記描画された各補助線の描画順において相隣る二つの補助線同士が互いになす角度をコブ角として計測する計測手段と、前記描画された各補助線のうちいずれか一の補助線が移動された場合に、当該移動後の各補助線の位置情報に基づいて前記一方向に沿う順序で前記各補助線の順序付けを行い、当該順序付けられた順序において相隣る二つの補助線同士が互いになす角度をコブ角として再計測する再計測手段と、を備える。【００１７】
請求項５に記載の発明は、複数の湾曲部が存在する脊椎を示す脊椎画像を表示手段のモニタ画面に表示させ、当該表示された脊椎画像から各湾曲部のコブ角を計測するコンピュータを、前記モニタ画面に表示された脊椎画像において前記脊椎の延在方向に交差する方向のコブ角計測用の補助線を描画する位置を指定するための操作手段、前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する際に、前記モニタ画面に表示された脊椎画像の前記脊椎の延在方向のうちいずれか一方向に沿う順序でのみ前記各補助線の描画を許可する描画制御手段、前記描画された各補助線の描画順において相隣る二つの補助線同士が互いになす角度をコブ角として計測する計測手段、前記描画された各補助線のうちいずれか一の補助線が移動された場合に、当該移動後の各補助線の位置情報に基づいて前記一方向に沿う順序で前記各補助線の順序付けを行い、当該順序付けられた順序において相隣る二つの補助線同士が互いになす角度をコブ角として再計測する再計測手段、として機能させるためのプログラムである。
【発明の効果】
【００１８】
請求項１、４、５に記載の発明によれば、各補助線を描画する際に、各補助線の脊椎の延在方向のうちいずれか一方向に沿う順序と描画順とを一致させることにより、脊椎画像のコブ角の計測における操作性を向上させることができる。また、補助線のうちいずれか一の補助線が移動された場合に、各補助線の順序付けをし直し、コブ角を再計測するので、誤診を防止することができる。【００１９】
請求項２に記載の発明によれば、描画位置を示す図形が各補助線の描画を禁止する領域にあることを認識しやすくなる。【００２０】
請求項３に記載の発明によれば、各補助線の描画を許可する領域と禁止する領域とを識別可能に表示することができる。
【図面の簡単な説明】
【００２１】
【図１】本発明の実施の形態における医用画像システムのシステム構成図である。
【図２】画像サーバ装置の機能的構成を示すブロック図である。
【図３】画像計測装置の機能的構成を示すブロック図である。
【図４】モニタ画面における座標の取り方を示す図である。
【図５Ａ】ｙ軸の負方向が画像の頭側になるように撮影した場合の例である。
【図５Ｂ】ｘ軸の正方向が画像の頭側になるように撮影した場合の例である。
【図５Ｃ】ｙ軸の正方向が画像の頭側になるように撮影した場合の例である。
【図５Ｄ】ｘ軸の負方向が画像の頭側になるように撮影した場合の例である。
【図６Ａ】図５Ａの画像を回転させずにそのまま表示させたものである。
【図６Ｂ】図５Ｂの画像を右回りに２７０度回転させたものである。
【図６Ｃ】図５Ｃの画像を右回りに１８０度回転させたものである。
【図６Ｄ】図５Ｄの画像を右回りに９０度回転させたものである。
【図７Ａ】ｙ＝０を基準線としてｙ軸の正方向に向かって順序付けを行う場合の例である。
【図７Ｂ】ｘ＝１００００を基準線としてｘ軸の負方向に向かって順序付けを行う場合の例である。
【図７Ｃ】ｙ＝１００００を基準線としてｙ軸の負方向に向かって順序付けを行う場合の例である。
【図７Ｄ】ｘ＝０を基準線としてｘ軸の正方向に向かって順序付けを行う場合の例である。
【図８】画像サーバ装置において実行される処理を示すフローチャートである。
【図９Ａ】画像計測装置において実行される処理を示すフローチャートである。
【図９Ｂ】画像計測装置において実行される処理を示すフローチャートである。
【図１０】第一補助線描画処理を示すフローチャートである。
【図１１Ａ】第一補助線の始点を指定する際の画面例である。
【図１１Ｂ】第一補助線の終点を指定する際の画面例である。
【図１１Ｃ】第二補助線の始点を指定する際の画面例である。
【図１１Ｄ】第二補助線の終点を指定する際の画面例である。
【図１１Ｅ】第三補助線の始点を指定する際の画面例である。
【図１１Ｆ】第三補助線の終点を指定する際の画面例である。
【図１２Ａ】第二補助線描画処理を示すフローチャートである。
【図１２Ｂ】第二補助線描画処理を示すフローチャートである。
【図１３】第三補助線描画処理を示すフローチャートである。
【図１４】補助線移動時処理を示すフローチャートである。
【図１５】脊椎において湾曲部が二つある場合のコブ角を説明するための図である。
【図１６】脊椎において湾曲部が三つある場合のコブ角を説明するための図である。
【図１７Ａ】従来における問題点を説明するための図である。
【図１７Ｂ】従来における問題点を説明するための図である。
【発明を実施するための最良の形態】
【００２２】
以下、図面を参照して、本発明に係る医用画像システムの一実施形態について説明する。【００２３】
図１に、医用画像システム１００のシステム構成を示す。図１に示すように、医用画像システム１００では、ＲＩＳ（Radiological Information System：放射線情報システム）１０、モダリティ２０、画像サーバ装置３０及び画像計測装置４０が、ネットワークＮを介してデータ通信可能に接続されている。【００２４】
ＲＩＳ１０は、放射線科部門内における診療予約、診断結果のレポート、実績管理、材料在庫管理等の情報管理を行う。ＲＩＳ１０は、撮影や診断の内容を示す検査オーダ情報を生成し、モダリティ２０に送信する。【００２５】
モダリティ２０は、ＲＩＳ１０から送信された検査オーダ情報に基づいて、患者を撮影し、医用画像の画像データを生成する画像生成装置である。モダリティ２０は、画像データを画像サーバ装置３０に送信する。モダリティ２０としては、ＣＲ（Computed Radiography）装置、ＣＴ（Computed Tomography）装置、ＭＲＩ（Magnetic Resonance Imaging）装置等が用いられる。【００２６】
画像サーバ装置３０は、ＰＡＣＳにより構成され、モダリティ２０から受信した医用画像の画像データのファイルを保存し、画像計測装置４０等の外部機器からの要求に応じて画像ファイルを提供する。【００２７】
図２に、画像サーバ装置３０の機能的構成を示す。図２に示すように、画像サーバ装置３０は、制御部３１、操作部３２、表示部３３、通信部３４、ＲＯＭ（Read Only Memory）３５、記憶部３６を備えて構成され、各部はバス３７により接続されている。【００２８】
制御部３１は、ＣＰＵ（Central Processing Unit）、ＲＡＭ（Random Access Memory）等から構成され、画像サーバ装置３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。【００２９】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。【００３０】
表示部３３は、ＬＣＤ（Liquid Crystal Display）により構成され、制御部３１から入力される表示データに基づいて各種画面を表示する。【００３１】
通信部３４は、ＲＩＳ１０、モダリティ２０、画像計測装置４０等の外部機器との間でデータの送受信を行うインターフェースである。【００３２】
ＲＯＭ３５は、不揮発性の半導体メモリ等により構成され、制御プログラム、当該プログラムの実行に必要なパラメータやファイル等を記憶している。【００３３】
記憶部３６は、ハードディスク等により構成され、各種データを記憶する。具体的には、記憶部３６には、画像ファイル、関連情報等が記憶される。画像ファイルは、モダリティ２０から受信した医用画像の画像データのファイルである。記憶部３６には、例えば、複数の湾曲部が存在する脊椎を示す脊椎画像の画像ファイルが保存されている。関連情報は、画像ファイルの画像に関連する情報をいい、各画像ファイルに対応付けられている。関連情報には、患者情報、検査情報等が含まれ、脊椎画像の場合には、コブ角の計測結果も含まれる。【００３４】
コブ角は、脊椎において側弯を示している部分（湾曲部）の上下端にある終椎の上位終椎の上面と下位終椎の下面のなす角である。脊椎において湾曲部が複数存在する場合には、各湾曲部に対応するコブ角を、頭尾方向に順に第一カーブのコブ角、第二カーブのコブ角、・・・、という（図１５及び図１６参照）。【００３５】
制御部３１は、画像計測装置４０から画像ファイルの取得要求があった場合に、要求された画像ファイルを記憶部３６から読み出し、画像計測装置４０に送信する。また、制御部３１は、画像計測装置４０から計測結果を受信した場合に、受信した計測結果を、計測対象の画像ファイルと対応付けて記憶部３６に保存する。【００３６】
画像計測装置４０は、画像サーバ装置３０から取得した医用画像を表示させ、当該医用画像の診断に用いる数値や角度を計測するための装置であって、ＰＣ（Personal Computer）等から構成される。例えば、画像計測装置４０は、脊椎画像においては、側弯症の診断に用いるコブ角の計測を行う。【００３７】
図３に、画像計測装置４０の機能的構成を示す。図３に示すように、画像計測装置４０は、制御部４１、操作部４２、表示部４３、通信部４４、ＲＯＭ４５、記憶部４６を備え、各部はバス４７により接続されている。【００３８】
制御部４１は、ＣＰＵ、ＲＡＭ等から構成され、画像計測装置４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。【００３９】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。操作部４２は、表示部４３のモニタ画面に表示された脊椎画像において脊椎の延在方向に交差する方向のコブ角計測用の補助線を描画する位置を指定する際に用いられる。「脊椎の延在方向」とは、脊椎の連続方向（湾曲を伴う方向）に沿った厳密な意味での延在方向ではなく、側弯がなかった場合に脊椎が本来並んでいるべき方向、すなわち、頭尾方向又は尾頭方向（人体の足から頭に向かう方向）の意味で用いる。【００４０】
表示部４３は、ＬＣＤにより構成され、制御部４１から入力される表示データに基づいて各種画面を表示する。具体的には、表示部４３は、脊椎画像等の医用画像を表示する。【００４１】
通信部４４は、画像サーバ装置３０等の外部機器との間でデータの送受信を行うインターフェースである。【００４２】
ＲＯＭ４５は、不揮発性の半導体メモリ等により構成され、制御プログラム、当該プログラムの実行に必要なパラメータやファイル等を記憶している。【００４３】
記憶部４６は、ハードディスク等により構成され、各種データを記憶する。【００４４】
制御部４１は、通信部４４を介して、画像サーバ装置３０に対して、記憶部３６に記憶されている医用画像の画像ファイルの取得要求を送信し、画像サーバ装置３０から医用画像の画像ファイルを取得する。制御部４１は、取得した医用画像の画像ファイルに基づいて、表示部４３のモニタ画面に医用画像を表示させる。本実施の形態では、脊椎画像の画像ファイルを取得し、表示部４３のモニタ画面に脊椎画像を表示させる場合について説明する。【００４５】
制御部４１は、操作部４２のマウスからの操作に基づいて、表示部４３のモニタ画面に表示された脊椎画像の複数の湾曲部のそれぞれの上位終椎の軸方向上端及び下位終椎の軸方向下端に沿って補助線を描画する。その際、制御部４１は、表示部４３のモニタ画面に表示された脊椎画像の脊椎の延在方向のうち、頭尾方向に沿う順序でのみ各補助線の描画を許可する。図４に、表示部４３のモニタ画面における座標の取り方（モニタ座標系）を示す。図４に示すように、モニタ座標系では、モニタ画面の右方向をＸ軸の正方向とし、モニタ画面の下方向をＹ軸の正方向とする。【００４６】
制御部４１は、表示部４３のモニタ画面の各補助線の描画を禁止する領域では、操作部４２のマウスによる描画位置を示す図形（マウスカーソル）を各補助線の描画を許可する領域における表示とは変更する。具体的には、制御部４１は、各補助線の描画を許可する領域では、マウスカーソルとして通常の矢印マークを表示させ、各補助線の描画を禁止する領域では、マウスカーソルとして禁止マーク（例えば、×マーク等）を表示させる。【００４７】
制御部４１は、表示部４３のモニタ画面の各補助線の描画を禁止する領域を、各補助線の描画を許可する領域とは異なる色で表示させる。【００４８】
制御部４１は、描画された各補助線の描画順（すなわち、頭尾方向順）において相隣る二つの補助線同士が互いになす角度をコブ角として計測する。具体的には、制御部４１は、脊椎画像に湾曲部が二つ存在する場合には、描画順が１番目の補助線（以下、第一補助線という。）と描画順が２番目の補助線（以下、第二補助線という。）とのなす角度を第一カーブのコブ角として計測し、第二補助線と描画順が３番目の補助線（以下、第三補助線という。）とのなす角度を第二カーブのコブ角として計測する。また、制御部４１は、脊椎画像に湾曲部が三つ存在する場合には、第一補助線と第二補助線とのなす角度を第一カーブのコブ角として計測し、第二補助線と第三補助線とのなす角度を第二カーブのコブ角として計測し、第三補助線と描画順が４番目の補助線（以下、第四補助線という。）とのなす角度を第三カーブのコブ角として計測する。【００４９】
制御部４１は、描画された各補助線のうちいずれか一の補助線が移動された場合に、移動後の各補助線の画像座標系における位置情報に基づいて、脊椎の延在方向のうち頭尾方向に沿う順序で各補助線の順序付けを行う。画像座標系とは、画像ファイルに固有の画像上における座標系をいう。具体的には、制御部４１は、脊椎画像の４辺のうち頭側端部に相当する１辺からの距離が小さい順に各補助線の順序付けを行う。各補助線を代表する位置として、補助線（線分）の中点を用いる。【００５０】
なお、本実施の形態では、表示部４３のモニタ画面上におけるモニタ座標系を（Ｘ，Ｙ）、画像ファイルに固有の画像上における画像座標系を（ｘ，ｙ）として区別する。【００５１】
図５Ａ〜図５Ｄに、画像座標系（ｘ，ｙ）を基準とした画像の位置関係を示す。本実施の形態では、各画像がｘ＝０〜１００００、ｙ＝０〜１００００のサイズで生成されているものとする。図５Ａは、ｙ軸の負方向が画像の頭側になるように撮影した場合の例であり、図５Ｂは、ｘ軸の正方向が画像の頭側になるように撮影した場合の例であり、図５Ｃは、ｙ軸の正方向が画像の頭側になるように撮影した場合の例であり、図５Ｄは、ｘ軸の負方向が画像の頭側になるように撮影した場合の例である。通常は、図５Ａに示す位置関係で撮影される場合が多い。【００５２】
画像診断に用いる角度や数値の計測を行う際には、図６Ａ〜図６Ｄに示すように、画像の頭側がモニタ画面の上側になるように画像を回転させて表示する。図６Ａは、図５Ａの画像を回転させずにそのまま表示させたものであり、図６Ｂは、図５Ｂの画像を右回りに２７０度回転させたものであり、図６Ｃは、図５Ｃの画像を右回りに１８０度回転させたものであり、図６Ｄは、図５Ｄの画像を右回りに９０度回転させたものである。【００５３】
図６Ａに示す位置関係の場合は、図７Ａに示すように、ｙ＝０を基準線としてｙ軸の正方向に向かって各補助線の中点の順序付けを行う。図６Ｂに示す位置関係の場合は、図７Ｂに示すように、ｘ＝１００００を基準線としてｘ軸の負方向に向かって各補助線の中点の順序付けを行う。図６Ｃに示す位置関係の場合は、図７Ｃに示すように、ｙ＝１００００を基準線としてｙ軸の負方向に向かって各補助線の中点の順序付けを行う。図６Ｄに示す位置関係の場合は、図７Ｄに示すように、ｘ＝０を基準線としてｘ軸の正方向に向かって各補助線の中点の順序付けを行う。【００５４】
制御部４１は、順序付けられた順序（すなわち、頭尾方向順）において相隣る二つの補助線同士が互いになす角度をコブ角として再計測する。具体的には、制御部４１は、脊椎画像に湾曲部が二つ存在する場合には、頭側から１番目の補助線と頭側から２番目の補助線とのなす角度を第一カーブのコブ角として計測し、頭側から２番目の補助線と頭側から３番目の補助線とのなす角度を第二カーブのコブ角として計測する。また、制御部４１は、脊椎画像に湾曲部が三つ存在する場合には、頭側から１番目の補助線と頭側から２番目の補助線とのなす角度を第一カーブのコブ角として計測し、頭側から２番目の補助線と頭側から３番目の補助線とのなす角度を第二カーブのコブ角として計測し、頭側から３番目の補助線と頭側から４番目の補助線とのなす角度を第三カーブのコブ角として計測する。【００５５】
次に、動作を説明する。
図８は、画像サーバ装置３０において実行される処理を示すフローチャートである。この処理は、画像計測装置４０に対して計測対象となる医用画像を提供する処理であって、制御部３１のＣＰＵと、ＲＯＭ３５に記憶されているプログラムとの協働によるソフトウェア処理によって実現される。【００５６】
まず、通信部３４により、画像計測装置４０から画像ファイルの取得要求が受信された場合には（ステップＳ１；ＹＥＳ）、制御部３１により、要求された画像ファイルが記憶部３６から読み出され、通信部３４を介して画像計測装置４０に送信される（ステップＳ２）。【００５７】
次に、通信部３４により、画像計測装置４０から計測結果が受信された場合には（ステップＳ３；ＹＥＳ）、制御部３１により、受信した計測結果が、計測対象の画像ファイルと対応付けられて記憶部３６に保存される（ステップＳ４）。
以上で、画像サーバ装置３０における処理が終了する。【００５８】
図９Ａ及び図９Ｂは、画像計測装置４０において実行される処理を示すフローチャートである。この処理は、制御部４１のＣＰＵと、ＲＯＭ４５に記憶されているプログラムとの協働によるソフトウェア処理によって実現される。図９Ａ及び図９Ｂでは、二つの湾曲部が存在する脊椎を示す脊椎画像を計測対象とし、各湾曲部のコブ角を計測する場合について説明する。【００５９】
まず、操作部４２からの操作により、計測対象となる脊椎画像の画像ファイルが選択され、制御部４１の制御に従って、通信部４４により、画像サーバ装置３０に対して、選択された脊椎画像の画像ファイルの取得要求が送信される。そして、制御部４１により、通信部４４を介して、画像サーバ装置３０から脊椎画像の画像ファイルが取得される（ステップＳ１１）。【００６０】
次に、制御部４１により、取得された脊椎画像の画像ファイルに基づいて、表示部４３のモニタ画面に脊椎画像が表示される（ステップＳ１２）。ここで、必要に応じて、操作部４２からの操作により、画像の回転が指示されると、制御部４１により、画像の回転処理が行われる（ステップＳ１３）。具体的には、図６Ａ〜図６Ｄに示すように、画像の頭側がモニタ画面の上側になるように画像が回転されて表示される。【００６１】
次に、制御部４１により、操作部４２のマウスの位置に対応する表示部４３のモニタ画面上の座標を（Ｘｍ，Ｙｍ）とする割り当て処理が行われる（ステップＳ１４）。【００６２】
次に、制御部４１により、第一補助線描画処理が行われる（ステップＳ１５）。第一補助線描画処理は、脊椎の延在方向に交差する方向の補助線のうち、第一カーブの上位終椎の軸方向上端に沿った補助線を描画する処理である。【００６３】
ここで、図１０を参照して、第一補助線描画処理を説明する。
図１１Ａに示すように、マウスカーソルＭＣが第一補助線の始点となる位置に置かれた状態でユーザにより操作部４２のマウスボタンが押下され、第一補助線の始点位置が指定されると（ステップＳ３１；ＹＥＳ）、制御部４１により、マウスボタンが押下された位置のマウス座標（Ｘｍ，Ｙｍ）が取得され、１点目の座標（Ｘ１，Ｙ１）がＸ１＝Ｘｍ、Ｙ１＝Ｙｍと決定される（ステップＳ３２）。【００６４】
次に、図１１Ｂに示すように、マウスカーソルＭＣが第一補助線の終点となる位置に置かれた状態でユーザにより操作部４２のマウスボタンが押下され、第一補助線の終点位置が指定されると（ステップＳ３３；ＹＥＳ）、制御部４１により、マウスボタンが押下された位置のマウス座標（Ｘｍ，Ｙｍ）が取得され、２点目の座標（Ｘ２，Ｙ２）がＸ２＝Ｘｍ、Ｙ２＝Ｙｍと決定される（ステップＳ３４）。【００６５】
次に、制御部４１により、表示部４３のモニタ画面に表示されている脊椎画像上に、１点目の座標（Ｘ１，Ｙ１）を画像座標系に変換した座標と、２点目の座標（Ｘ２，Ｙ２）を画像座標系に変換した座標とを結ぶ第一補助線が描画される（ステップＳ３５）。【００６６】
次に、制御部４１により、１点目のＹ座標Ｙ１が２点目のＹ座標Ｙ２より大きいか否かが判断される（ステップＳ３６）。１点目のＹ座標Ｙ１が２点目のＹ座標Ｙ２より大きい場合には（ステップＳ３６；ＹＥＳ）、制御部４１により、制御点ＹαがＹ１に決定される（ステップＳ３７）。制御点Ｙαとは、第二補助線を描画する際に、Ｙ座標がその値より大きい領域でのみ描画を許可する基準となる点である。一方、１点目のＹ座標Ｙ１が２点目のＹ座標Ｙ２以下の場合には（ステップＳ３６；ＮＯ）、制御部４１により、制御点ＹαがＹ２に決定される（ステップＳ３８）。【００６７】
次に、図９Ａに戻り、制御部４１により、第二補助線描画処理が行われる（ステップＳ１６）。第二補助線描画処理は、脊椎の延在方向に交差する方向の補助線のうち、第一カーブの下位終椎の軸方向下端（第二カーブの上位終椎の軸方向上端）に沿った補助線を描画する処理である。【００６８】
ここで、図１２Ａ及び図１２Ｂを参照して、第二補助線描画処理を説明する。
まず、制御部４１により、操作部４２のマウスの位置に対応する表示部４３のモニタ画面上の位置のＹ座標Ｙｍが、図１０のステップＳ３７又はステップＳ３８で決定された制御点Ｙαより大きいか否かが判断される（ステップＳ４１）。マウス位置のＹ座標Ｙｍが制御点Ｙα以下の場合（ステップＳ４１；ＮＯ）、すなわち、図１１Ｃに示す領域Ａ１にマウスカーソルＭＣがある場合には、制御部４１により、表示部４３のモニタ画面に表示されているマウスカーソルＭＣが禁止マーク（例えば、×マーク等）に変更され（ステップＳ４２）、補助線の描画が禁止される。また、制御部４１により、領域Ａ１はモニタ画面の他の領域（補助線の描画を許可する領域）と異なる色で表示される。この場合、脊椎画像や描画した補助線は見えるように、領域Ａ１に彩色する際には半透明表示を用いる。【００６９】
一方、マウス位置のＹ座標Ｙｍが制御点Ｙαより大きい場合には（ステップＳ４１；ＹＥＳ）、マウスカーソルＭＣは通常どおり矢印マークで表示され、補助線の描画が許可される。図１１Ｃに示すように、マウスカーソルＭＣが第二補助線の始点となる位置に置かれた状態でユーザにより操作部４２のマウスボタンが押下され、第二補助線の始点位置が指定されると（ステップＳ４３；ＹＥＳ）、制御部４１により、マウスボタンが押下された位置のマウス座標（Ｘｍ，Ｙｍ）が取得され、３点目の座標（Ｘ３，Ｙ３）がＸ３＝Ｘｍ、Ｙ３＝Ｙｍと決定される（ステップＳ４４）。【００７０】
次に、制御部４１により、操作部４２のマウスの位置に対応する表示部４３のモニタ画面上の位置のＹ座標Ｙｍが、制御点Ｙαより大きいか否かが判断される（ステップＳ４５）。マウス位置のＹ座標Ｙｍが制御点Ｙα以下の場合（ステップＳ４５；ＮＯ）、すなわち、図１１Ｄに示す領域Ａ１にマウスカーソルＭＣがある場合には、制御部４１により、表示部４３のモニタ画面に表示されているマウスカーソルＭＣが禁止マークに変更され（ステップＳ４６）、補助線の描画が禁止される。【００７１】
一方、マウス位置のＹ座標Ｙｍが制御点Ｙαより大きい場合には（ステップＳ４５；ＹＥＳ）、マウスカーソルＭＣは通常どおり矢印マークで表示され、補助線の描画が許可される。図１１Ｄに示すように、マウスカーソルＭＣが第二補助線の終点となる位置に置かれた状態でユーザにより操作部４２のマウスボタンが押下され、第二補助線の終点位置が指定されると（ステップＳ４７；ＹＥＳ）、制御部４１により、マウスボタンが押下された位置のマウス座標（Ｘｍ，Ｙｍ）が取得され、４点目の座標（Ｘ４，Ｙ４）がＸ４＝Ｘｍ、Ｙ４＝Ｙｍと決定される（ステップＳ４８）。【００７２】
次に、制御部４１により、表示部４３のモニタ画面に表示されている脊椎画像上に、３点目の座標（Ｘ３，Ｙ３）を画像座標系に変換した座標と、４点目の座標（Ｘ４，Ｙ４）を画像座標系に変換した座標とを結ぶ第二補助線が描画される（ステップＳ４９）。【００７３】
次に、図１２Ｂに移り、制御部４１により、３点目のＹ座標Ｙ３が４点目のＹ座標Ｙ４より大きいか否かが判断される（ステップＳ５０）。３点目のＹ座標Ｙ３が４点目のＹ座標Ｙ４より大きい場合には（ステップＳ５０；ＹＥＳ）、制御部４１により、制御点ＹβがＹ３に決定される（ステップＳ５１）。制御点Ｙβとは、第三補助線を描画する際に、Ｙ座標がその値より大きい領域でのみ描画を許可する基準となる点である。一方、３点目のＹ座標Ｙ３が４点目のＹ座標Ｙ４以下の場合には（ステップＳ５０；ＮＯ）、制御部４１により、制御点ＹβがＹ４に決定される（ステップＳ５２）。【００７４】
次に、図９Ａに戻り、制御部４１により、第三補助線描画処理が行われる（ステップＳ１７）。第三補助線描画処理は、脊椎の延在方向に交差する方向の補助線のうち、第二カーブの下位終椎の軸方向下端に沿った補助線を描画する処理である。【００７５】
ここで、図１３を参照して、第三補助線描画処理を説明する。
まず、制御部４１により、操作部４２のマウスの位置に対応する表示部４３のモニタ画面上の位置のＹ座標Ｙｍが、図１２ＢのステップＳ５１又はステップＳ５２で決定された制御点Ｙβより大きいか否かが判断される（ステップＳ６１）。マウス位置のＹ座標Ｙｍが制御点Ｙβ以下の場合（ステップＳ６１；ＮＯ）、すなわち、図１１Ｅに示す領域Ａ２にマウスカーソルＭＣがある場合には、制御部４１により、表示部４３のモニタ画面に表示されているマウスカーソルＭＣが禁止マークに変更され（ステップＳ６２）、補助線の描画が禁止される。また、制御部４１により、領域Ａ２はモニタ画面の他の領域（補助線の描画を許可する領域）と異なる色で表示される。【００７６】
一方、マウス位置のＹ座標Ｙｍが制御点Ｙβより大きい場合には（ステップＳ６１；ＹＥＳ）、マウスカーソルＭＣは通常どおり矢印マークで表示され、補助線の描画が許可される。図１１Ｅに示すように、マウスカーソルＭＣが第三補助線の始点となる位置に置かれた状態でユーザにより操作部４２のマウスボタンが押下され、第三補助線の始点位置が指定されると（ステップＳ６３；ＹＥＳ）、制御部４１により、マウスボタンが押下された位置のマウス座標（Ｘｍ，Ｙｍ）が取得され、５点目の座標（Ｘ５，Ｙ５）がＸ５＝Ｘｍ、Ｙ５＝Ｙｍと決定される（ステップＳ６４）。【００７７】
次に、制御部４１により、操作部４２のマウスの位置に対応する表示部４３のモニタ画面上の位置のＹ座標Ｙｍが、制御点Ｙβより大きいか否かが判断される（ステップＳ６５）。マウス位置のＹ座標Ｙｍが制御点Ｙβ以下の場合（ステップＳ６５；ＮＯ）、すなわち、図１１Ｆに示す領域Ａ２にマウスカーソルＭＣがある場合には、制御部４１により、表示部４３のモニタ画面に表示されているマウスカーソルＭＣが禁止マークに変更され（ステップＳ６６）、補助線の描画が禁止される。【００７８】
一方、マウス位置のＹ座標Ｙｍが制御点Ｙβより大きい場合には（ステップＳ６５；ＹＥＳ）、マウスカーソルＭＣは通常どおり矢印マークで表示され、補助線の描画が許可される。図１１Ｆに示すように、マウスカーソルＭＣが第三補助線の終点となる位置に置かれた状態でユーザにより操作部４２のマウスボタンが押下され、第三補助線の終点位置が指定されると（ステップＳ６７；ＹＥＳ）、制御部４１により、マウスボタンが押下された位置のマウス座標（Ｘｍ，Ｙｍ）が取得され、６点目の座標（Ｘ６，Ｙ６）がＸ６＝Ｘｍ、Ｙ６＝Ｙｍと決定される（ステップＳ６８）。【００７９】
次に、制御部４１により、表示部４３のモニタ画面に表示されている脊椎画像上に、５点目の座標（Ｘ５，Ｙ５）を画像座標系に変換した座標と、６点目の座標（Ｘ６，Ｙ６）を画像座標系に変換した座標とを結ぶ第三補助線が描画される（ステップＳ６９）。【００８０】
次に、図９Ａに戻り、制御部４１により、描画された各補助線の描画順（すなわち、頭尾方向順）において相隣る二つの補助線同士が互いになす角度がコブ角として計測される（ステップＳ１８）。具体的には、制御部４１により、第一補助線と第二補助線とのなす角度が第一カーブのコブ角として計測され、第二補助線と第三補助線とのなす角度が第二カーブのコブ角として計測される。【００８１】
次に、制御部４１により、表示部４３のモニタ画面に計測結果が表示される（ステップＳ１９）。図１１Ｆの例では、コブ角の計測に用いる各補助線とともに、第一カーブのコブ角及び第二カーブのコブ角の値が「第一カーブ17.9°  第二カーブ21.2°」と表示されている。【００８２】
次に、図９Ｂに移り、制御部４１により、操作部４２からの操作に基づいて、表示部４３のモニタ画面に表示されている脊椎画像上の各補助線のうちいずれか一の補助線が移動されたか否かが判断される（ステップＳ２０）。具体的には、移動すべき補助線上にマウスカーソルが置かれた状態でユーザにより操作部４２のマウスボタンが押下され（補助線の選択）、押下したまま移動先の位置でマウスボタンが離されると（移動後の補助線の位置決定）、補助線が移動される。なお、補助線を平行移動させるだけでなく、補助線の端点をそれぞれ別に移動可能としてもよい。【００８３】
操作部４２からの操作により、表示部４３のモニタ画面に表示されている脊椎画像上の各補助線のうちいずれか一の補助線が移動された場合には（ステップＳ２０；ＹＥＳ）、制御部４１により、補助線移動時処理が行われる（ステップＳ２１）。【００８４】
ここで、図１４を参照して、補助線移動時処理を説明する。補助線移動時処理は、各補助線の位置情報に基づいて、頭尾方向に沿う順序で各補助線の順序付けを行い、コブ角を再計測する処理である。【００８５】
まず、制御部４１により、画像の回転状態に応じて、脊椎画像の４辺のうち頭側端部に相当する１辺が基準線として設定される（ステップＳ７１）。具体的には、図６Ａに示す位置関係の場合は、ｙ＝０が基準線として設定され、図６Ｂに示す位置関係の場合は、ｘ＝１００００が基準線として設定され、図６Ｃに示す位置関係の場合は、ｙ＝１００００が基準線として設定され、図６Ｄに示す位置関係の場合は、ｘ＝０が基準線として設定される。【００８６】
次に、制御部４１により、１点目と２点目の画像座標系における座標がそれぞれ取得され、１点目と２点目の中点の画像座標系における座標（ｘ１２，ｙ１２）が取得される（ステップＳ７２）。【００８７】
次に、制御部４１により、３点目と４点目の画像座標系における座標がそれぞれ取得され、３点目と４点目の中点の画像座標系における座標（ｘ３４，ｙ３４）が取得される（ステップＳ７３）。【００８８】
次に、制御部４１により、５点目と６点目の画像座標系における座標がそれぞれ取得され、５点目と６点目の中点の画像座標系における座標（ｘ５６，ｙ５６）が取得される（ステップＳ７４）。【００８９】
次に、制御部４１により、各補助線の位置情報に基づいて、脊椎画像の脊椎の延在方向のうち頭尾方向に沿う順序で各補助線の順序付けが行われる。具体的には、制御部４１により、各補助線の中点の位置情報に基づいて、ステップＳ７１で設定された基準線からの距離が小さい順に各補助線の順序付けが行われる（ステップＳ７５）。例えば、図６Ａに示す位置関係の場合は、図７Ａに示すように、各中点のｙ座標が小さい順に各補助線の順序付けが行われる。図６Ｂに示す位置関係の場合は、図７Ｂに示すように、各中点のｘ座標が大きい順に各補助線の順序付けが行われる。図６Ｃに示す位置関係の場合は、図７Ｃに示すように、各中点のｙ座標が大きい順に各補助線の順序付けが行われる。図６Ｄに示す位置関係の場合は、図７Ｄに示すように、各中点のｘ座標が小さい順に各補助線の順序付けが行われる。【００９０】
次に、制御部４１により、順序付けられた順序（すなわち、頭尾方向順）において相隣る二つの補助線同士が互いになす角度がコブ角として再計測される（ステップＳ７６）。具体的には、制御部４１により、頭側から１番目の補助線と頭側から２番目の補助線とのなす角度が第一カーブのコブ角として計測され、頭側から２番目の補助線と頭側から３番目の補助線とのなす角度が第二カーブのコブ角として計測される。【００９１】
次に、制御部４１により、表示部４３のモニタ画面に計測結果が表示される（ステップＳ７７）。【００９２】
図９Ｂに戻り、ステップＳ２０において、表示部４３のモニタ画面に表示されている脊椎画像上の補助線の移動がない場合には（ステップＳ２０；ＮＯ）、制御部４１により、計測結果を保存するか否かが判断される（ステップＳ２２）。例えば、操作部４２からの操作により、表示部４３のモニタ画面上で保存ボタンが選択された場合には、計測結果が保存される。【００９３】
計測結果を保存する場合には（ステップＳ２２；ＹＥＳ）、制御部４１により、描画された各補助線の始点及び終点を示す座標の値（画像座標系）とともに、計測結果（第一カーブのコブ角及び第二カーブのコブ角の値）が画像サーバ装置３０に送信される（ステップＳ２３）。計測結果を保存しない場合には（ステップＳ２２；ＮＯ）、そのまま処理が終了する。
以上で、画像計測装置４０における処理が終了する。本処理では、脊椎画像に二つの湾曲部が存在する場合を例にして説明したが、湾曲部が三つ以上存在する場合も同様に処理を行うことができる。【００９４】
以上説明したように、画像計測装置４０によれば、各補助線を描画する際に、各補助線の頭尾方向に沿う順序と描画順とを一致させることにより、頭尾方向に沿う順序と反する順序での補助線の描画を防ぐので、脊椎画像のコブ角の計測における操作性を向上させることができる。また、描画された各補助線のうちいずれか一の補助線が移動された場合に、移動後の各補助線の位置情報に基づいて、頭尾方向に沿う順序で各補助線の順序付けをし直し、順序付けられた順序において相隣る二つの補助線同士が互いになす角度をコブ角として再計測するので、各補助線とコブ角との対応関係がわかりやすく、誤診を防止することができる。【００９５】
また、表示部４３のモニタ画面の各補助線の描画を禁止する領域では、マウスカーソルを各補助線の描画を許可する領域における表示とは変更するので、マウスカーソルが各補助線の描画を禁止する領域にあることを認識しやすくなる。【００９６】
また、表示部４３のモニタ画面の各補助線の描画を禁止する領域を、各補助線の描画を許可する領域とは異なる色で表示させるので、各補助線の描画を許可する領域と禁止する領域とを識別可能に表示することができる。【００９７】
なお、上記実施の形態における記述は、本発明に係る医用画像システムの一例であり、これに限定されるものではない。システムを構成する各装置の細部構成及び細部動作に関しても適宜変更可能である。【００９８】
例えば、上記実施の形態では、脊椎画像上にコブ角の計測に用いる複数の補助線を描画する際に、表示部４３のモニタ画面に表示された脊椎画像の脊椎の延在方向のうち、頭尾方向に沿う順序でのみ各補助線の描画を許可する場合について説明したが、逆方向（尾頭方向）に沿う順序でのみ各補助線の描画を許可することとしてもよい。【００９９】
また、上記実施の形態では、表示部４３のモニタ画面の各補助線の描画を禁止する領域では、操作部４２のマウスによる描画位置を示す図形（マウスカーソル）を各補助線の描画を許可する領域における表示とは変更し、かつ、モニタ画面の各補助線の描画を禁止する領域を各補助線の描画を許可する領域とは異なる色で表示させることとしたが、描画を許可するか否かに応じた色分け表示は行わずに、マウスカーソルの変更のみでもよい。また、マウスカーソルの変更は行わずに、色分け表示のみでもよい。【０１００】
また、上記実施の形態では、補助線の移動があった場合に、脊椎画像の脊椎の延在方向のうち、頭尾方向に沿う順序で各補助線の順序付けを行う場合について説明したが、逆方向（尾頭方向）に沿う順序で各補助線の順序付けを行うこととしてもよい。【０１０１】
また、上記実施の形態では、補助線の移動があった場合に、必ずコブ角を再計測することとしたが、補助線の移動が平行移動のみである場合には、頭尾方向における各補助線相互の位置関係が変更された場合（ある補助線が他の補助線を越えた場合）にのみ、コブ角を再計測することとしてもよい。【０１０２】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【産業上の利用可能性】
【０１０３】
本発明に係る画像計測装置、医用画像システム及びプログラムは、脊椎画像からコブ角を計測する医療分野において利用可能性がある。
【符号の説明】
【０１０４】
１０  ＲＩＳ
２０  モダリティ
３０  画像サーバ装置
３１  制御部
３２  操作部
３３  表示部
３４  通信部
３５  ＲＯＭ
３６  記憶部
３７  バス
４０  画像計測装置
４１  制御部
４２  操作部
４３  表示部
４４  通信部
４５  ＲＯＭ
４６  記憶部
４７  バス
１００  医用画像システム
Ｎ  ネットワーク
ＭＣ  マウスカーソル
【図１】
2009116340.tif 000003
【図２】
2009116340.tif 000004
【図３】
2009116340.tif 000005
【図４】
2009116340.tif 000006
【図５Ａ】
2009116340.tif 000007
【図５Ｂ】
2009116340.tif 000008
【図５Ｃ】
2009116340.tif 000009
【図５Ｄ】
2009116340.tif 000010
【図６Ａ】
2009116340.tif 000011
【図６Ｂ】
2009116340.tif 000012
【図６Ｃ】
2009116340.tif 000013
【図６Ｄ】
2009116340.tif 000014
【図７Ａ】
2009116340.tif 000015
【図７Ｂ】
2009116340.tif 000016
【図７Ｃ】
2009116340.tif 000017
【図７Ｄ】
2009116340.tif 000018
【図８】
2009116340.tif 000019
【図９Ａ】
2009116340.tif 000020
【図９Ｂ】
2009116340.tif 000021
【図１０】
2009116340.tif 000022
【図１１Ａ】
2009116340.tif 000023
【図１１Ｂ】
2009116340.tif 000024
【図１１Ｃ】
2009116340.tif 000025
【図１１Ｄ】
2009116340.tif 000026
【図１１Ｅ】
2009116340.tif 000027
【図１１Ｆ】
2009116340.tif 000028
【図１２Ａ】
2009116340.tif 000029
【図１２Ｂ】
2009116340.tif 000030
【図１３】
2009116340.tif 000031
【図１４】
2009116340.tif 000032
【図１５】
2009116340.tif 000033
【図１６】
2009116340.tif 000034
【図１７Ａ】
2009116340.tif 000035
【図１７Ｂ】
2009116340.tif 000036
【国際調査報告】
2009116340.tif 000037
2009116340.tif 000038
2009116340.tif 000039
2009116340.tif 000040